(57)【要約】      （修正有）【課題】包装箱を横置き保管した場合、容器の取り出しを容易にし、かつ、取り出し時に容器の後ろへ転がりを防止できるマルチパック用包装箱を提供する。【解決手段】包装箱は、複数個を並列に配置された容器群の上面を覆う上面板と、上面板に連接され並列された各容器の側面を覆う対向する側面板と、これら側面板に連接し互いに係着する係止部を持つ底面板を備え、前記底面板を係着することにより前記容器群を包むように収納することができ、側面板が存在しない両端部において容器群の一部の側面に第１開口部および第２開口部が形成されるマルチパック用包装箱において、前記側面板には、側面板の所定の奥側位置から手前位置である第１開口部に向けて、引き裂き除去可能な引裂き開口片が形成されており、前記底面板の前記第２開口部に近い位置に、箱の内側に凸状に突出した容器転がり防止用ストッパを形成した。【選択図】  図４
2007302275.tif 000002
【特許請求の範囲】
【請求項１】
複数個を並列に配置された容器群の上面を覆う上面板と、
この上面板の両側部に連接され並列された各容器の側面を覆うように配置された対向する側面板と、
これら側面板に連接され互いに係着しうる係止部を有する底面板とを備え、前記底面板を係着することにより前記容器群を包むように収納することができるとともに、側面板が存在しない両端部において容器群の一部の側面が覗く第１の開口部および第２の開口部が形成されるマルチパック用包装箱において、
前記側面板には、側面板の所定の奥側位置から手前位置である第１の開口部に向けて、引き裂き除去可能な引裂き開口片が少なくとも１つ形成されており、
前記底面板の前記第２の開口部に近い位置には、箱の内側に凸状に突出した容器の転がり防止用ストッパが形成されていることを特徴とするマルチパック用包装箱。
【請求項２】
前記容器の転がり防止用ストッパは、前記引き裂き除去可能な引裂き開口片を引き裂き除去する方向とは反対方向に位置する最後部の２つの容器の底部周縁と係合するように、２つの容器の間に凸状に突出して形成される請求項１に記載のマルチパック用包装箱。
【請求項３】
前記容器の転がり防止用ストッパは、前記底面板に形成された折り曲げ片と、形態固定用のフック片と、の組み立てにより形成され、
前記折り曲げ片は、コの字状に打ち抜かれた打ち抜き平面部分と、この打ち抜き平面部分の２つの終端を結ぶ折り曲げ部とを有し、
前記打ち抜き平面部分には、前記２つの終端から、それぞれ、前記折り曲げ部と平行配置されている打ち抜き対向ラインの中点に向けてストッパ形成用折れ線が形成されており、
前記打ち抜き対向ラインを逆Ｖ字状に折りつつストッパ形成用折れ線を内側に折り曲げて、２つの三角状の折り片と、これら２つの三角状の折り片と連接して基台となる三角状基台とを形成するととともに、折り曲げ片を折り曲げ部から起こし、しかる後、逆Ｖ字に折られた打ち抜き対向ラインの実質的な中点（逆Ｖ字の頂点近傍）に、前記形態固定用のフック片を係止させて箱の内側に凸状に突出した容器の転がり防止用ストッパを組み立て形成してなる請求項１に記載のマルチパック用包装箱。
【請求項４】
前記形態固定用のフック片は、底面から起立してフック機能を発揮するフック平面部と、このフック平面部を起立させる際の折り曲げ基部を有し、
前記フック平面部は、折り曲げ基部の端部から伸びる傾斜辺と、この傾斜辺の上部に形成された顎部を有し、
前記顎部は前記逆Ｖ字凸状に折られた打ち抜き対向ラインの実質的な中点（逆Ｖ字の頂点近傍）と係合できるようになっており、
前記傾斜辺は、前記三角状基台を構成する面と接することができるようになっている請求項３に記載のマルチパック用包装箱。
【請求項５】
前記２つの三角状の折り片が、容器の底部周縁と係合するように組み立てられる請求項４に記載のマルチパック用包装箱。
【請求項６】
前記側面板に形成された引裂き開口片は、引き裂き除去される形状に沿って不連続な切り込み線が形成されており、引き裂き除去の際の切り込み線の最終端が、第１の開口部の近傍に形成されている折り込み片の折り線の両端に実質的に向けられて形成されてなる請求項１ないし請求項５のいずれかに記載のマルチパック用包装箱。
【請求項７】
前記側面板に形成された引裂き開口片は、奥側位置から開口部に向けて、その引き裂き幅が漸増的に広幅となるように形成されてなる請求項１ないし請求項５のいずれかに記載のマルチパック用包装箱。
【請求項８】
前記引裂き開口片は、奥側位置付近に形成された引き裂き開始窓と、これに連接し第１の開口部側へ延びる引き裂き領域形成部を有し、
前記引き裂き領域形成部は、箱外部からの押圧ないし引っ張りにより内側へのフラップ状の折込による凹みが形成できる領域を備えており、この凹みを把持部分として第１の開口部側への引き裂きをすることができるようになっている請求項１ないし請求項７のいずれかに記載のマルチパック用包装箱。
【請求項９】
前記引裂き開口片は、奥側位置付近に形成された引き裂き開始窓形成部と、これに連接し開口部側へ延びる引き裂き領域を有し、
前記引き裂き開始窓形成部は、箱外部からの押圧により内側へのフラップ状の折込による凹みが形成できるようになっており、この凹みを把持部分として第１の開口部側への引き裂き開始ができるようになっている請求項１ないし請求項７のいずれかに記載のマルチパック用包装箱。
【請求項１０】
前記引き裂き開始窓または引き裂き開始窓形成部は、包装箱に収納される容器との関係において、容器が隣接する際に生じる隙間位置に存在するように形成されてなる請求項８または請求項９に記載のマルチパック用包装箱。
【請求項１１】
請求項１〜１０のいずれかに記載のマルチパック用包装箱に容器を収納してなるマルチパック包装製品。
【発明の詳細な説明】
【技術分野】
【０００１】
本発明は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を並列した状態のまま包装するマルチパック用包装箱に関する。なお、本発明でいう「容器」とは、内容物が充填されている製品の形態のものをいう。
【背景技術】
【０００２】
従来から、缶ビールや缶ジュース等の複数個の容器を複数個一列あるいは複数列で起立させた状態のまま整列させて置き、つぎに容器の上部、側部および下部を包み込むようにして包装した紙製のマルチパック用包装箱が使用されている。
【０００３】
このようなマルチパック用包装箱の使用により、複数個の缶ビールや缶ジュース等を１個の包装体にまとめて一度にかつ簡易に持ち運ぶことができるようになり、さらに、纏め売りの効果も相俟って当該マルチパック用包装箱の使用が近年急速に拡大しつつある。
【０００４】
小売店では、一般に、マルチパック用包装箱は段状の陳列棚やショーケースに収納された状態で販売されており、また、家庭で飲食する消費者は、一般にマルチパック用包装箱を段状の収納棚に収納していることが多い。特に、マルチパックのまま冷蔵庫などに保管することにより、容器がバラバラに散乱することなく１箇所にコンパクトな状態で保管することができる。
【０００５】
しかしながら、このようなマルチパック用包装箱は、収納スペース等の制約により、容器を立てた状態でのいわゆる縦置きでは収納することができず、容器を寝かせたいわゆる横置きの状態でなければ収納できない場合がある。
【０００６】
横置きの状態での保管は、容器が取り出しにくく、また、容器を取り出す際に、容器の収納形態がくずれて他の容器が転がり落ちるおそれがあるという問題が生じていた。特に、容器が後方へ転がり落ちた場合には、奥まった後方の狭い場所に手を伸ばして転がった容器を取り出さなければならないという余分な負担を消費者に強いることになる。
【発明の開示】
【発明が解決しようとする課題】
【０００７】
このような課題を解決するために本願発明は創案されたものであって、その目的は、マルチパック用包装箱を横置きの状態での保管した場合でも、容器の取り出しを容易とすることができ、かつ、取り出し時に容器が後ろへ転がりにくくすることができるマルチパック用包装箱を提供することにある。
【課題を解決するための手段】
【０００８】
上記課題を解決するために本発明のマルチパック用包装箱は、複数個を並列に配置された容器群の上面を覆う上面板と、この上面板の両側部に連接され並列された各容器の側面を覆うように配置された対向する側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く第１の開口部および第２の開口部が形成されるマルチパック用包装箱において、前記側面板には、側面板の所定の奥側位置から手前位置である第１の開口部に向けて、引き裂き除去可能な引裂き開口片が少なくとも１つ形成されており、前記底面板の前記第２の開口部に近い位置には、箱の内側に凸状に突出した容器の転がり防止用ストッパが形成されてなるように構成される。
【０００９】
また、本発明のマルチパック用包装箱の好ましい態様として、前記容器の転がり防止用ストッパは、前記引き裂き除去可能な引裂き開口片を引き裂き除去する方向とは反対方向に位置する最後部の２つの容器の底部周縁と係合するように、２つの容器の間に凸状に突出して形成される。
【００１０】
また、本発明のマルチパック用包装箱の好ましい態様として、前記容器の転がり防止用ストッパは、前記底面板に形成された折り曲げ片と、形態固定用のフック片と、の組み立てにより形成され、前記折り曲げ片は、コの字状に打ち抜かれた打ち抜き平面部分と、この打ち抜き平面部分の２つの終端を結ぶ折り曲げ部とを有し、前記打ち抜き平面部分には、前記２つの終端から、それぞれ、前記折り曲げ部と平行配置されている打ち抜き対向ラインの中点に向けてストッパ形成用折れ線が形成されており、前記打ち抜き対向ラインを逆Ｖ字状に折りつつストッパ形成用折れ線を内側に折り曲げて、２つの三角状の折り片と、これら２つの三角状の折り片と連接して基台となる三角状基台とを形成するととともに、折り曲げ片を折り曲げ部から起こし、しかる後、逆Ｖ字に折られた打ち抜き対向ラインの実質的な中点（逆Ｖ字の頂点近傍）に、前記形態固定用のフック片を係止させて箱の内側に凸状に突出した容器の転がり防止用ストッパを組み立てるように構成される。
【００１１】
また、本発明のマルチパック用包装箱の好ましい態様として、前記形態固定用のフック片は、底面から起立してフック機能を発揮するフック平面部と、このフック平面部を起立させる際の折り曲げ基部を有し、前記フック平面部は、折り曲げ基部の端部から伸びる傾斜辺と、この傾斜辺の上部に形成された顎部を有し、前記顎部は前記逆Ｖ字凸状に折られた打ち抜き対向ラインの実質的な中点（逆Ｖ字の頂点近傍）と係合できるようになっており、前記傾斜辺は、前記三角状基台を構成する面と接することができるように構成される。
【００１２】
また、本発明のマルチパック用包装箱の好ましい態様として、前記２つの三角状の折り片は、容器の底部周縁と係合するように組み立てられる。
【００１３】
また、本発明のマルチパック用包装箱の好ましい態様として、前記側面板に形成された引裂き開口片は、引き裂き除去される形状に沿って不連続な切り込み線が形成されており、引き裂き除去の際の切り込み線の最終端が、第１の開口部の近傍に形成されている折り込み片の折り線の両端に実質的に向けられて形成される。
【００１４】
また、本発明のマルチパック用包装箱の好ましい態様として、前記側面板に形成された引裂き開口片は、奥側位置から開口部に向けて、その引き裂き幅が漸増的に広幅となるように形成される。
【００１５】
また、本発明のマルチパック用包装箱の好ましい態様として、前記引裂き開口片は、奥側位置付近に形成された引き裂き開始窓と、これに連接し第１の開口部側へ延びる引き裂き領域形成部を有し、前記引き裂き領域形成部は、箱外部からの押圧ないし引っ張りにより内側へのフラップ状の折込による凹みが形成できる領域を備えており、この凹みを把持部分として第１の開口部側への引き裂きをすることができるように構成される。
【００１６】
また、本発明のマルチパック用包装箱の好ましい態様として、前記引裂き開口片は、奥側位置付近に形成された引き裂き開始窓形成部と、これに連接し開口部側へ延びる引き裂き領域を有し、前記引き裂き開始窓形成部は、箱外部からの押圧により内側へのフラップ状の折込による凹みが形成できるようになっており、この凹みを把持部分として第１の開口部側への引き裂き開始ができるように構成される。
【００１７】
また、本発明のマルチパック用包装箱の好ましい態様として、前記引き裂き開始窓または引き裂き開始窓形成部は、包装箱に収納される容器との関係において、容器が隣接する際に生じる隙間位置に存在するように形成される。
【００１８】
本発明のマルチパック包装製品は、上記記載のマルチパック用包装箱に容器を収納して構成される。
【発明の効果】
【００１９】
本発明のマルチパック用包装箱は、複数個を並列に配置された容器群の上面を覆う上面板と、この上面板の両側部に連接され並列された各容器の側面を覆うように配置された対向する側面板と、これら側面板に連接され互いに係着しうる係止部を有する底面板とを備え、前記底面板を係着することにより前記容器群を包むように収納することができるとともに、側面板が存在しない両端部において容器群の一部の側面が覗く第１の開口部および第２の開口部が形成されるマルチパック用包装箱において、前記側面板には、側面板の所定の奥側位置から手前位置である第１の開口部に向けて、引き裂き除去可能な引裂き開口片が少なくとも１つ形成されており、前記底面板の前記第２の開口部に近い位置には、箱の内側に凸状に突出した容器の転がり防止用ストッパが形成されているので、マルチパック用包装箱を横置きの状態での保管した場合でも、容器の取り出しを容易とすることができるとともに、取り出し時に容器が後ろへ転がりにくくすることができるという極めて優れた効果が発現する。
【発明を実施するための最良の形態】
【００２０】
以下、本発明のマルチパック用包装箱１の最良の形態の一例について、図１〜図４を参照しつつ説明する。
【００２１】
図１は、本発明のマルチパック用包装箱１の展開図の一例を示したものである。図２は、図１に示される展開された箱オリジナル紙を容器（例えば缶ビール）を収納した状態で組み立てたマルチパック用包装箱の斜視図であって、かつ当該包装箱を第１の開口部側から見た横置きの図面として、引裂き開口片の存在が良く分かるように示した斜視図である。図３は、図２に類する斜視図であって、他の引裂き開口片の実施態様を説明するための斜視図である。図４は、図１に示される展開された箱オリジナル紙を容器（例えば缶ビール）を収納した状態で組み立てたマルチパック用包装箱の斜視図であって、かつ当該包装箱を第２の開口部側から見た横置きの図面として、容器の転がり防止用ストッパの存在が良く分かるように示した斜視図である。
【００２２】
図５および図６は、それぞれ、容器の転がり防止用ストッパの組み立て状況を説明するための概略斜視図である。図７は、マルチパック用包装箱を４個、出荷カートンケース２０内に納めた状態を模式的に示した概略斜視図である。図８は、マルチパック用包装箱の上面板側から見た平面図である。
【００２３】
本発明における好適な実施の形態として、缶ビールを６個収納（直列した３缶を２列に並列させて収納）することができる一般的なマルチパック用包装箱１を一例にとって説明する。
【００２４】
本発明のマルチパック用包装箱１は、図１に示される展開シート（パック用シート）を組み立てることによって形成することができ、展開シートは、図１に示されるごとく横長の略矩形形状をなしている。
【００２５】
図１に示される展開シートにおいて、その中央部は上面板２を構成し、その両端にそれぞれ側面板３、４が連接されている。そして、側面板３の図面の左側部分には底面板５が形成され、側面板４の図面の右側部分には底面板６がそれぞれ形成されている。
【００２６】
上面板２は、直列３個を並列２列に起立状態に整列させた缶ビール６個の上面を覆うように、図面の縦辺１ａ方向にはビール缶３缶分、横片１ｂ方向にはビール缶２缶分の長さからなる面積を備えている。上面板２の両側には缶ビールの側部を覆うようにその高さに相当する側面板３、４がそれぞれ境界線をなす折り線２ａ、２ｂを介して連接されている。
【００２７】
底面板５および底面板６には、先端部の近傍で互いに係着し得る雌側の係止窓部７ａ（底面板５側）および雄側の係止部８ａ（底面板６側）がそれぞれ形成されている。図面の左側に位置している底面板５側の係止窓部７ａは、図示のごとく縦辺１ａに沿うように、中央とその両端側の３箇所にそれぞれ設けられている。この実施形態では、係止窓部７ａの形状は切り抜かれた縦長の略四角孔となっていて、その孔の一辺ａが実質的な係合部となっている。この一方で、図面の右側に位置している底面板６の雄側の係止部８ａの形状は、縦辺１ａに平行な直線で中央が内側に凹部ｂとなる切り込みとなっている。
【００２８】
これらの係着部位（係止部）に加えて、図面の左側に位置する底面板５側には、雌側の係止部７ｂ、７ｃが形成され、これらとの関係において、図面の右側に位置する底面板６側には、雄側の係合片８ｂ、８ｃがそれぞれ形成されている。図面の左側に位置する雌側の係止部７ｂ、７ｃの形状は切り込みとなっている。図面の右側に位置する雄側の係合片８ｃの形状は、図示のごとく先端の茸状の頭部から顎部を形成するように絞られて首部ｄに至っている。なお、もう一方の雄側の係合片８ｂ（図の上方側）は、係止部としても機能し得るが、主として、本発明の要部である容器の転がり防止用ストッパを組み立てる際の組立部材の一部品である形態固定用のフック片８ｂとして機能する。そのため、形態固定用のフック片８ｂは、底面から起立してフック機能を発揮するフック平面部８１と、このフック平面部８１を起立させる際の折り曲げ基部８５を有し、フック平面部８１は、折り曲げ基部８５の端部から伸びる傾斜辺８６と、この傾斜辺８６の上部に形成された顎部８７を有して形成される。これらの具体的機能については、後に詳述する。
【００２９】
側面板３、４の横辺１ｂ側の各端部には、内側に折り込んで前記上面板２および底面板５、６の隅部との間にビール缶の脱落を防止するためのガゼット１０ａ、１０ｂを構成する折り込み片９が境界線をなす折り線３ｂ、４ｂを介して連接されている。なお、ガゼット１０ａ、１０ｂの状態は例えば、図２に分かりやすく示されている。折り込み片９の折り目３ｂ、４ｂには、内側に折り易くするために切り込み（スリット）を入れることが望ましい。
【００３０】
上述した底面板５、６に設けられた係止部を係着させることにより、缶ビール等の容器１９群を包むように収納できるマルチパック用包装箱１が組立てられる。そして、図２〜図４に示されるようにマルチパック用包装箱１の側面板３、４が存在しない両端部において容器群の一部の側面が覗く第１の開口部Ｐ１、および第２の開口部Ｐ２が、それぞれ、形成される。第１の開口部Ｐ１とは、本発明を説明する上での便宜上、実質的に引き裂き除去可能な引裂き開口片が形成されている側をいい、第２の開口部Ｐ２とは、本発明を説明する上での便宜上、実質的に容器の転がり防止用ストッパが形成されている側をいう。
【００３１】
本発明の実施形態における上面板２は、その第１および第２の開口部Ｐ１、Ｐ２側において、容器の天面蓋の周縁に形成されているリング状突起９５の一部が覗くように切り欠き部５０が形成されている（図１、図８参照）。
【００３２】
このような切り欠き部５０は、缶製品の引き出しが出来るだけ簡易にかつ容易に行えるように形成されている（取り出し容易性の向上）。すなわち、図８に示されるように、覗いているリング状突起９５の一部を指先端に引っ掛けて引っ張ることにより、比較的容易に缶ビールを取り出すことが可能となる。
【００３３】
このような切り欠き部５０の形状は、湾曲形状をなすことが特に好ましく、当該切り欠き部５０の個数は、開口部Ｐから覗く容器の数に対応して同じ個数形成されることが望ましい。ただし、本発明において、切り欠き部５０の存在は必須のものではなく、切り欠き部５０を備えていないマルチパック用包装箱であってもよいことは勿論である。
【００３４】
なお、図１における、符号１３はコンプレッションホール（６箇所）、符号１４ａは山折り線、符号１４ｂは谷折り線をそれぞれ表している。符号１６はフィンガーホール（２箇所）、符号１７は切り取り線をそれぞれ表している。上面板２に符号１７で示されている切り取り線は、上面引裂き開口片を形成している。図１の符号１７ａ側から上面引裂き開口片の引き剥がし操作が開始されるようになっている。
【００３５】
（本発明の第１の要部構造の説明） 
本発明の第１の要部は、側面板３および／または側面板４に、側面板の所定の奥側位置から手前位置である第１の開口部Ｐ１に向けて、引き裂き除去可能な引裂き開口片が形成されている点にある。本実施例においては、片方の側面板４に引裂き開口片４０が形成されている場合が例示してある。本発明における奥側位置とは、開口部Ｐ１から側面板の中ほどに進んだ箇所、例えば、符号４１で示される付近を示している。
【００３６】
引裂き開口片４０は、図１に示されるように引き裂き除去される形態に沿って不連続な切り込み線が形成されており、引き裂き除去の際の切り込み線の最終端４７ａ，４７ａが、それぞれ開口部Ｐ１の端部近傍に形成されている折り込み片９の折り線４ｂの両端に実質的に向けられて形成されている。
【００３７】
ここで、『実質的に向けられて形成されている』とは、容器の取り出し口を形成するために引裂き開口片４０を除去する際に折り込み片９の折り線４ｂの両端を経由して、開口片４０が除去されるようになっていることを意味する。これによって、引裂き開口片４０を包装箱本体から容易に引き離すことができる。
【００３８】
引裂き除去操作に際し、引裂き開口片４０が折り込み片９の折り線４ｂの両端の位置まで来た後は、引裂き抵抗はほとんどないため、その後、いっきに引裂き開口片４０を引き裂き除去することができる。
【００３９】
引裂き開口片４０の切り取られる形状は、図示のごとく奥側位置から開口部Ｐ１に向けて、その引き裂き幅が漸増的に広幅となるように形成されることが好ましい。引裂き開口片４０を取り除いた後に、取り除いた側から手を挿入して包装箱本体内部の製品を取り易くするためである。
【００４０】
さらに、引裂き開口片４０の形状について詳述すると、図１および図２に示されるように引裂き開口片４０は、奥側位置付近に形成された引き裂き開始窓４１と、これに連接し開口部側へ延びる引き裂き領域形成部４５を有している。
【００４１】
引き裂き開始窓４１は、指が挿入できる程度の大きさの穴が開いており、開口の開始を容易にしている。引き裂き領域形成部４５は、引き裂き開始窓４１へ指を挿入するとともに箱外部からの押圧ないし引っ張りにより内側へのフラップ状の折込による凹みが形成できる領域４５ａを有しており、この凹み領域を把持部分として第１の開口部Ｐ１側への引き裂きをすることができるようになっている。引き裂き開始窓４１の更に奥には、引き裂き開始窓４１に向かう３本の切り取り線３１、３２、３３が形成されており、これにより、引き裂き開始窓４１への指の挿入を補助する機能、および開口した後に、容器の取り出しを容易にする機能（奥の位置する容器を取り出す時に指をいれることができる）を発揮することができる。
【００４２】
引き裂き領域形成部４５の構成について、さらに詳細に説明する。
【００４３】
本実施形態における引き裂き領域形成部４５は、引裂き開口片４０の先端近傍を形成する湾曲部４６と、この湾曲部４６に連接して開口部Ｐ１側に向かう切り取り領域４７と、湾曲部４６を弧状として描くように形成された折り線部Ｅ（図面においては２本の折り線部）を有している。折り線部Ｅは、前述のフラップ状の折込による凹み領域４５ａを形成する際のフラップ片の基部として作用することができる。
【００４４】
この折り線部Ｅの存在により、フラップ状の折込により形成された凹み領域４５ａがそのままの形態を維持しやすくなり（すなわち、凹みがもとの平面状態に戻り難くなる）、把持操作を簡単に行なうことができる。
【００４５】
また、引き裂き開始窓４１は、把持操作を確実に行うために、包装箱に収納される容器との関係において、容器が隣接する際に生じる隙間位置に存在するように形成されることが望ましい。すなわち、マルチパック用包装箱に収納される缶ビール容器が包装箱底部に立設されるように配置され、２×３の配列状態（例えば図２に示されるように開口部Ｐ１に２個見える）で収納されている場合、引き裂き開始窓４１は、容器同士が隣接する際に生じる隙間位置（谷部空間）に存在するように形成されることが好ましい。
【００４６】
上記の配置形態の場合、１個目の容器と２個目の容器との接触部位、２個目の容器と３個目の容器との接触部位の２箇所に隙間位置（谷部空間）に存在することになる。いずれの隙間位置（谷部空間）に引き裂き開始窓４１を形成してもよいが、箱強度や引き裂き操作のやり易さ等を考慮すれば、開口部Ｐ１から最初の隙間位置（谷部空間）に引き裂き開始窓４１を形成するようにすることが望ましい。
【００４７】
なお、隙間位置（谷部空間）は、図８の平面図に明瞭に示されているのでこの図面を参照してご理解頂きたい。図８は、上述したように組み立てられたマルチパック用包装箱の上面板２側から見た平面図である。
【００４８】
また、図１に示されるごとく引き裂き開始窓４１の両脇から連接されている湾曲部４６は、点線状の切り込み線によって形取られて構成するのが良い。また、湾曲部４６に連接する切り取り領域４７は、『へ』の字状の切り込み線、すなわち切り取り領域４７を形取る点線状の切り込み線部分と、この点線状の切り込み線部分の奥側位置に連接すると共に、引裂き開口片の内側に切り込まれた線部を備える『へ』の字状の切り込み線により形成するのが良い。ただし、『へ』の字状の切り込み線に限定されることなく、例えば、点線状やＹ字状等の他の切り込み形状としてもよい。
【００４９】
また、上述してきた図１および図２に示されるような引裂き開口片は、例えば、図３に示されるような形態の引裂き開口片に改変してもよい。
【００５０】
図３に示される引裂き開口片４０が図２に示されるそれと大きく異なる点は、図３の形態では図２のごとく引き裂き開始窓４１が形成されておらず、最初から指を挿入するための開口された穴は存在しないところにある。すなわち、図３に示される引裂き開口片は、奥側位置付近に形成された引き裂き開始窓形成部４２と、これに連接し第１の開口部Ｐ１側へ延びる引き裂き領域４３を有し、引き裂き開始窓形成部４２は、箱外部からの押圧により内側へのフラップ状の折込による凹み（開口）が形成できるようになっており、この凹みを把持部分として開口部側への引き裂き開始ができるようになっている。
【００５１】
なお、引き裂き除去可能な引裂き開口片４０を最後まで切り取りやすい形状とするために、図１に示されるように、折り線４ｂの両端と、折り線１４ｂ、１４ｂとが交わる近傍の位置に通常形成されるガセットの穴は、本願発明では形成されていない。
【００５２】
ガセットの穴がある場合には、引裂き開口片を切り取った場合に、ガセットの一部が切り取られずに残ってしまい、容器を取り出しにくい。ガセットの穴を無くすことにより、引裂き開口片を切り取った場合にガセットを全部切り取ることができるので、容器は格段と取り出しやすくなる。
【００５３】
（本発明の第２の要部構造の説明） 
本発明の第２の要部は、図４に示されるように底面板の第２の開口部Ｐ２に近い位置に、箱の内側に凸状に突出した容器の転がり防止用ストッパ６０が組み立てられて形成されているところにある。
【００５４】
この容器の転がり防止用ストッパ６０は、主として、図４に見られるように第２の開口部Ｐ２に最も近い容器（第１の開口部Ｐ１を基準にした場合に最後部の容器に相当する）が、第２の開口部Ｐ２から外に（図４の手前側方向に）転がり出ることを防止するために形成されている。
【００５５】
容器の転がり防止用ストッパ６０は、前述した引き裂き除去可能な引裂き開口片４０を設ける側とは反対方向の第２の開口部Ｐ２に近い位置に形成される。引裂き開口片４０が設けられる第１の開口部Ｐ１側は、本来の容器の取り出し口に相当しており、これと全く反対位置の第２の開口部Ｐ２は最後部の開口に該当しており、第１の開口部Ｐ１側からの容器の取り出しの際に、最後部に位置する容器がさらに後方に転がり出ることを防止するために容器の転がり防止用ストッパ６０が形成されている。すなわち、図４に示されるように容器の転がり防止用ストッパ６０は、第２の開口部Ｐ２側に位置する最後部の２つの容器１９の底部周縁と係合するように、２つの容器の間に凸状に突出して形成されている。
【００５６】
このような容器の転がり防止用ストッパ６０の組み立て部材について、図面を参照しつつ、さらに詳細に説明する。
【００５７】
容器の転がり防止用ストッパ６０は、図１の左上方に図示されている底面板５に形成された折り曲げ片６１と、図１の右上方端に図示されている底面板６の雄側の係合片８ｂ（形態固定用のフック片８ｂ）と、の組み立てにより形成されている。
【００５８】
図１に示されるように折り曲げ片６１は、コの字状に打ち抜かれた打ち抜き平面部分６４と、この打ち抜き平面部分の２つの終端６４ａ，６４ａを結ぶ折り曲げ部６６とを有し構成されている。
【００５９】
打ち抜き平面部分６４には、２つの終端６４ａ，６４ａから折り曲げ部６６と平行配置されている打ち抜き対向ライン６４ｂのほぼ中点に向けてストッパ形成用折れ線６４ｃ，６４ｃが形成されている。このようなストッパ形成用折れ線６４ｃ，６４ｃによって、打ち抜き平面部分６４は、２つの三角状の折り片６４ｄ，６４ｄと、これら２つの三角状の折り片６４ｄ，６４ｄと連接して基台となる三角状基台６４ｅとが形成される。ストッパ形成用折れ線６４ｃ，６４ｃは、厳密には、三角状基台６４ｅ側にわずかに膨らんだ湾曲ラインとなっている。
【００６０】
このような打ち抜き平面部分６４と展開図において反対側に位置している形態固定用として用いられるフック片８ｂについてさらに詳細に説明すると、形態固定用のフック片８ｂは、図１に示されるようにフック機能を発揮するフック平面部８１と、このフック平面部８１を起立させる際の折り曲げ基部８５を有している。そして、フック平面部８１は、折り曲げ基部８５の端部（外側基部）から伸びる傾斜辺８６と、この傾斜辺８６の上部に形成された顎部８７を有している。顎部８７は、後述するように逆Ｖ字凸状に折られた打ち抜き対向ライン６４ｂの頂点近傍の凸部と係合できるようになっている。
【００６１】
このような容器の転がり防止用ストッパ６０の組み立て手順の一例について、以下、詳細に説明する。なお、この手順は、あくまで一例であり、この手順に限定されるものではない。
【００６２】
マルチパック用包装箱を組み立てる際に、図１の右側に示されるフック片８ｂを図１の左側に示される雌側の係止部７ｂに挿通させる（この際、同様に図１の右側に位置する雄側の係合片８ｃも図１の左側に位置する雌側の係止部７ｃに挿通させている）。
【００６３】
その後、挿通したフック片８ｂを折り曲げ基部８５を基線として（フック片８ｂの）フック平面部８１折り曲げて起こす操作が行われる。さらに、底面板５をコの字状に打ち抜かれた打ち抜き平面部分６４を折り曲げ部６６から起こす操作が行われる。これらの操作はいずれを先に行っても良く、また、同時に行なうようにしてもよい。これらの操作が完了した状態が図５に示されており、フック平面部８１および平面部分６４（折り曲げ片６１）がそれぞれ折り曲げ操作により起立されている。
【００６４】
次いで、折り曲げ部６６から起された折り曲げ片６１の打ち抜き対向ライン６４ｂを逆Ｖ字状の山折りに折りつつ、ストッパ形成用折れ線６４ｃ，６４ｃを内側に折り曲げる（いわゆる山折りする）。すると、２つの三角状の折り片６４ｄ，６４ｄと、これら２つの三角状の折り片６４ｄ，６４ｄと連接して基台となる三角状基台６４ｅとが形成される。しかる後、逆Ｖ字に折られた打ち抜き対向ライン６４ｂの実質的な中点（逆Ｖ字の頂点近傍）に、前記形態固定用のフック片８ｂの顎部８７を係止させて箱の内側に凸状に突出した容器の転がり防止用ストッパが組み立てられる。この組み立て後の状態が図６に示される。
【００６５】
なお、フック片８ｂの傾斜辺８６は、容器の転がり防止用ストッパを組み立てる際に三角状基台６４ｅを構成する面（図６の内面）と接することができるようになっている（図６参照）。これによって、斜めに起された三角状基台６４ｅの傾斜位置が固定され、容器の転がり防止用ストッパの形態の安定化を図ることができるようになっている。
【００６６】
このように形成された転がり防止用ストッパ６０における２つの三角状の折り片６４ｄ，６４ｄは、容器の底部周縁と係合するとともに（図４参照）、起立したフック平面部８１は、２つの容器の間に介在される。
【００６７】
なお、上記の実施形態では、２×３配列のいわゆる６缶マルチパック用包装箱について説明してきたが、２×４配列のいわゆる８缶マルチパック用包装箱についても同様に適用することができる。８缶マルチパック用包装箱の場合、１個目の容器と２個目の容器との接触部位、２個目の容器と３個目の容器との接触部位、３個目の容器と４個目の容器との接触部位の３箇所に隙間位置（谷部空間）に存在することになる。いずれの隙間位置（谷部空間）に引き裂き開始窓や引き裂き開始窓形成部を形成してもよいが、この場合もやはり第１の開口部Ｐ１から最初の隙間位置（谷部空間）に引き裂き開始窓や引き裂き開始窓形成部を形成するようにすることが望ましい。
【００６８】
（具体的包装作用の一例の説明） 
次に具体的包装作用の一例を説明する。まず、図１に示されるパック用シートを裏返して、その上面板２の部分の上部に缶ビール６本の底部を上向きとして直列した３缶を２列に並列させて載置する。
【００６９】
その上で、缶ビールの側部を覆うように側面板３、４を折り線２ａ、２ｂを境界線として内側に折り、各折り込み片９を内側に折り込み、上面板２と側面板３、４との隅部にトップガゼット１０ａを、また側面板３、４と底面板５、６との隅部にボトムガゼット１０ｂをそれぞれ形成し、さらに缶ビールの底部を覆うように底面板５および６を折り線３ａ、４ａを境界線として内側に折り、底面板６に設けられている雄側の第１係止部８ａの凹部ｂを底面板５の雌側の第１係止部７ａの横長の四角孔を形成する一辺ａに係着させることにより缶ビールを包装する。その係着が脱落しないように、底面板６に設けられている形態固定用のフック片８ｂおよび雄側の係合片８ｃをそれぞれ、頭部から底面板５に設けられている雌側の係止部７ｂおよび７ｃのスリットを通して互いに係着させてフック片８ｂおよび係合片８ｃの首部ｄで抜け止めする。
【００７０】
次いで、容器の転がり防止用ストッパ６０が、例えば、前述した組み立て手順に従って組み立てられる。
【００７１】
パック用シート１を側面板４が上になるように反転させると図２に示されるような斜視図の形態となる。
【００７２】
なお、上述のマルチパック用包装箱に容器を収納することによりマルチパック包装製品が出来あがる。
【００７３】
（引裂き開口片４０を除去する操作の一例の説明） 
図２に示されるような横置きの状態で、かつ、第１の開口部Ｐ１を手前側にして棚の中に挿入されたマルチパック用包装箱の引裂き開口片４０を引き裂き除去するには、引き裂き開始窓４１へ指を挿入したまま手前に引っ張り開口部側への引き裂きを完了させるか、あるいは、引き裂き開始窓４１へ指を挿入した状態で、さらに下方手前に押圧を加えてフラップ状の折込による凹みを形成し、この凹みを把持部分として開口部側への引き裂きを完了させる等の好適な操作が行われる。
【００７４】
なお、本発明における実施形態では缶ビールの包装を例にとって説明したが、このものに限定されるものではない。例えば、発泡酒缶、チューハイ缶等のアルコール飲料缶や、缶ジュース、缶コーヒー、缶紅茶、缶入り茶等のノンアルコール飲料缶などその他の各種缶製品にも適用できることは勿論のことである。
【産業上の利用可能性】
【００７５】
本発明のマルチパック用包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般に利用することができる。
【図面の簡単な説明】
【００７６】
【図１】本発明のマルチパック用包装箱の展開図の一例を示したものである。
【図２】図２は、図１に示される展開された箱オリジナル紙を容器（例えば缶ビール）を収納した状態で組み立てたマルチパック用包装箱の斜視図であって、かつ当該包装箱を第１の開口部側から見た横置きの図面として、引裂き開口片の存在が良く分かるように示した斜視図である。
【図３】図３は、図２に類する斜視図であって、他の引裂き開口片の実施態様を説明するための斜視図である。
【図４】図４は、図１に示される展開された箱オリジナル紙を容器（例えば缶ビール）を収納した状態で組み立てたマルチパック用包装箱の斜視図であって、かつ当該包装箱を第２の開口部側から見た横置きの図面として、容器の転がり防止用ストッパの存在が良く分かるように示した斜視図である。
【図５】図５は、容器の転がり防止用ストッパの組み立て状況を説明するための概略斜視図である。
【図６】図６は、容器の転がり防止用ストッパの組み立て状況を説明するための概略斜視図である。
【図７】図７は、マルチパック用包装箱を４個、出荷カートンケース内に納めた状態を模式的に示した概略斜視図である。
【図８】図８は、組み立てられたマルチパック用包装箱の上面板２側から見た平面図である。
【符号の説明】
【００７７】
１…マルチパック用包装箱
２…上面板
３、４…側面板
５、６…底面板
８ｂ…形態固定用のフック片
４０…引裂き開口片
４１…引き裂き開始窓
４５…引き裂き領域形成部
５０…切り欠き部
６０…容器の転がり防止用ストッパ
６１…折り曲げ片
６４…打抜き平面部分
６４ｂ…打抜き対向ライン
６４ｃ，６４ｃ…ストッパ形成用折れ線
６４ｄ，６４ｄ…三角状の折り片
６４ｅ…三角状基台
６６…折り曲げ部
Ｐ１…第１の開口部
Ｐ２…第２の開口部
【図１】
2007302275.tif 000003
【図２】
2007302275.tif 000004
【図３】
2007302275.tif 000005
【図４】
2007302275.tif 000006
【図５】
2007302275.tif 000007
【図６】
2007302275.tif 000008
【図７】
2007302275.tif 000009
【図８】
2007302275.tif 000010